(57)【要約】【課題】乗員自身も気づかないようなおもてなし空間演出を実現できるようにする。【解決手段】所定条件を満たす対象者を探索し（Ｓ１００）、探索された対象者のアップロード情報を収集し（Ｓ１０２）、収集したアップロード情報から所定の抽出ワードおよび映像の少なくとも一方を抽出し（Ｓ１０４）、抽出した所定の抽出ワードおよび映像の少なくとも一方により想起される空間演出を空間演出部に実施させるための空間演出情報を生成する（Ｓ１０６）。そして、生成した空間演出情報に基づいて空間演出を行う。【選択図】図２
2020042725.tif 000002
【特許請求の範囲】
【請求項１】
空間演出を実施する空間演出部（２１〜２５）と、
ネット上の各種情報蓄積装置から所定条件を満たす対象者を探索する探索部（Ｓ１００）と、
前記ネット上の各種情報蓄積装置から前記探索部によって探索された前記対象者のアップロード情報を収集するアップロード情報収集部（Ｓ１０２）と、
前記アップロード情報収集部によって収集された前記アップロード情報から所定の抽出ワードおよび映像の少なくとも一方を抽出する情報抽出部（Ｓ１０４）と、
前記情報抽出部により抽出された前記所定の抽出ワードおよび前記映像の少なくとも一方により想起される空間演出を前記空間演出部に実施させるための空間演出情報を生成する情報生成部（Ｓ１０６）と、を備え、
前記空間演出部は、前記情報生成部により生成された前記空間演出情報に基づいて前記空間演出を行う空間演出装置。
【請求項２】
前記所定条件を満たす対象者は、トレンドセッター、空間創出のサービスに従事する人、同一の関連情報の前記ネット上の各種情報蓄積装置へのアップロードを何度も実施している人の少なくとも１つを満たしている人である請求項１に記載の空間演出装置。
【請求項３】
前記空間演出部は、空間の温度および湿度を調整する空調装置（２１）を含み、
前記情報生成部は、前記空間の温度および湿度が、前記情報抽出部により抽出された前記所定の抽出ワードおよび前記映像の少なくとも一方により想起される温度および湿度となるよう空間演出情報を生成する請求項１または２に記載の空間演出装置。
【請求項４】
前記空間演出部は、空間の香りを調整する香り発生装置（２２）を含み、
前記情報生成部は、前記空間の香りが、前記情報抽出部により抽出された前記所定の抽出ワードおよび前記映像の少なくとも一方により想起される香りとなるよう空間演出情報を生成する請求項１ないし３のいずれか１つに記載の空間演出装置。
【請求項５】
前記空間演出部は、空間の明るさおよび照明色を調整する照明装置（２３）を含み、
前記情報生成部は、前記空間の明るさおよび照明色が、前記情報抽出部により抽出された前記所定の抽出ワードおよび前記映像の少なくとも一方により想起される明るさおよび照明色となるよう空間演出情報を生成する請求項１ないし４のいずれか１つに記載の空間演出装置。
【請求項６】
前記空間演出部は、空間の音響を発生させる音響装置（２４）を含み、
前記情報生成部は、前記空間の音響が、前記情報抽出部により抽出された前記所定の抽出ワードおよび前記映像の少なくとも一方により想起される音響となるよう空間演出情報を生成する請求項１ないし５のいずれか１つに記載の空間演出装置。
【請求項７】
前記空間演出部は、空間内のユーザへの刺激を調整する刺激調整装置（２５）を含み、
前記情報生成部は、前記空間内のユーザへの刺激が、前記情報抽出部により抽出された前記所定の抽出ワードおよび前記映像の少なくとも一方により想起される前記ユーザへの刺激となるよう空間演出情報を生成する請求項１ないし５のいずれか１つに記載の空間演出装置。
【請求項８】
ユーザが発した音声により前記ユーザの要望を推定し、推定した前記ユーザの要望を満たす前記空間演出情報を特定する情報特定部（Ｓ２０２）と、を備え、
前記空間演出部は、前記情報特定部により特定された前記ユーザの要望を満たす前記空間演出情報に基づいて前記空間演出を実施する請求項１ないし７のいずれか１つに記載の空間演出装置。
【発明の詳細な説明】
【技術分野】
【０００１】
本発明は、空間演出装置に関するものである。
【背景技術】
【０００２】
従来、特許文献１に記載された情報提供システムがある。このシステムは、情報検索装置と、情報間関係構築部と、分類抽出部と、を備えている。情報検索装置は、ネット上の各種情報蓄積装置から情報の収集を行い、収取した情報の関連度をその類似性、利用頻度等から関連度データ収集部を用いて自動計算し、２次情報として２次情報蓄積部に蓄積する。情報間関係構築部は、この情報間関連度を使って情報間ネットワーク図及び分類樹形図を構築し、密接な情報同士を組み合わせた新たな分類を送出する。また、分類抽出部は、この情報間関係データと分類協会関連度を使用して必要な分類を抽出する。これにより、利用者にとって利便性の高い情報検索システムを提供することが可能となっている。
【先行技術文献】
【特許文献】
【０００３】
【特許文献１】特開２００２−２６９１１９号公報
【発明の概要】
【発明が解決しようとする課題】
【０００４】
ところで、ネット上の各種情報蓄積装置から情報の収集を行い、収取した情報に基づいて自動車等の車室内の空間演出を実施することが考えられる。例えば、上記特許文献１に記載されたシステムを用いることで、乗員本人が希望した情報や、乗員本人が希望した情報と関連する情報を収集し、収取した情報に基づいて自動車等の車室内の空間演出を実施することが考えられる。
【０００５】
しかしながら、上記特許文献１に記載されたシステムを用いた場合、乗員自身も気づかないようなおもてなし情報を収集し、この収集した情報に基づいて自動車等の車室内の空間演出を実施するといったことはできない。
【０００６】
本発明は上記問題に鑑みたもので、乗員自身も気づかないようなおもてなし空間演出を実現できるようにすることを目的とする。
【課題を解決するための手段】
【０００７】
上記目的を達成するため、請求項１に記載の発明は、空間演出を実施する空間演出部（２１〜２５）と、ネット上の各種情報蓄積装置から所定条件を満たす対象者を探索する探索部（Ｓ１００）と、ネット上の各種情報蓄積装置から探索部によって探索された対象者のアップロード情報を収集するアップロード情報収集部（Ｓ１０２）と、アップロード情報収集部によって収集されたアップロード情報から所定の抽出ワードおよび映像の少なくとも一方を抽出する情報抽出部（Ｓ１０４）と、情報抽出部により抽出された所定の抽出ワードおよび映像の少なくとも一方により想起される空間演出を空間演出部に実施させるための空間演出情報を生成する情報生成部（Ｓ１０６）と、を備え、空間演出部は、情報生成部により生成された空間演出情報に基づいて空間演出を行う。
【０００８】
このような構成によれば、ネット上の各種情報蓄積装置から所定条件を満たす対象者を探索し、探索された対象者のアップロード情報をネット上の各種情報蓄積装置から収集し、収集したアップロード情報から所定の抽出ワードおよび映像の少なくとも一方を抽出する。そして、抽出した所定の抽出ワードおよび映像の少なくとも一方により想起される空間演出を空間演出部に実施させるための空間演出情報を生成し、この生成した空間演出情報に基づいて空間演出を行うので、乗員自身も気づかないようなおもてなし空間演出を実現することができる。
【０００９】
なお、この欄および特許請求の範囲で記載した各手段の括弧内の符号は、後述する実施形態に記載の具体的手段との対応関係を示すものである。
【図面の簡単な説明】
【００１０】
【図１】一実施形態に係る空間演出装置のブロック図である。
【図２】一実施形態に係る空間演出装置の制御部による空間演出情報生成処理のフローチャートである。
【図３】一実施形態に係る空間演出装置の制御部による空間演出処理のフローチャートである。
【図４】表示部の表示例を示した図である。
【図５】変形例を示す図である。
【発明を実施するための形態】
【００１１】
以下、本発明の実施形態について図に基づいて説明する。なお、以下の各実施形態相互において、互いに同一もしくは均等である部分には、図中、同一符号を付してある。
【００１２】
（第１実施形態）
第１実施形態に係る空間演出装置の構成について図１を用いて説明する。空間演出装置１０は、車両の搭載される。空間演出装置１０は、操作部１１、通信部１２、記憶部１３、表示部１４、制御部１５、空調装置２１、香り発生装置２２、照明装置２３、音響装置２４および刺激調整装置を備えている。
【００１３】
操作部１１は、表示部１４の周囲に配置されたメカニカルスイッチ、表示部１４の全面に重ねて配置されたタッチスイッチ等のスイッチを有し、ユーザのスイッチ操作に応じた信号を制御部１５に出力する。また、操作部１１は、乗員の音声を集音するマイクを有し、このマイクにより集音された音声に応じた信号を制御部１５に出力する。
【００１４】
通信部１２は、ネットワーク網を介してネットワーク網に接続された情報機器と通信するものである。制御部１５は、通信部１２を介してネットワーク網に接続された各種情報蓄積装置から各種情報を検索することが可能となっている。例えば、制御部１５は、通信部１２を介してネットワーク網に接続された各種情報蓄積装置から空間演出を可能とする対象者を探索する。また、制御部１５は、探索された対象者のソーシャルネットワークサービス（ＳＮＳ）から各種情報を収集することが可能となっている。
【００１５】
記憶部１３は、各種情報を記憶するものであり、ハードディスクドライブ、フラッシュメモリによって構成されている。
【００１６】
表示部１４は、液晶、有機ＥＬ（Ｅｌｅｃｔｒｏ  Ｌｕｍｉｎｅｓｃｅｎｃｅ）等のディスプレイを有し、該ディスプレイに制御部１５より入力される映像信号に応じた映像を表示する。
【００１７】
制御部１５は、ＣＰＵ、ＲＯＭ、ＲＡＭ、Ｉ／Ｏ等を備えたコンピュータとして構成されており、ＣＰＵは、ＲＯＭにされたプログラムに従って各種処理を行う。
【００１８】
空調装置２１は、車両の車室内の空気の温度および湿度を調整する装置である。空調装置２１は、車両の車室内の暖房、冷房、除湿等を行うことが可能となっている。空調装置２１は、冷媒を圧縮して吐出する圧縮機、圧縮機から吐出された冷媒と外気との熱交換によって冷媒を放熱する放熱用熱交換器、放熱用熱交換器から流出した冷媒を減圧する減圧器、減圧器によって減圧された冷媒と空気との熱交換によって空気を冷却する蒸発器等（いずれも図示せず）を有している。
【００１９】
香り発生装置２２は、車室内に香りを発生させる装置である。香り発生装置２２は、複数の芳香剤、各芳香剤に空気を送風する送風機等を有し、送風機から送風する空気により芳香剤の香り成分を放出させる。
【００２０】
照明装置２３は、車両の車室内および車室外の照明を行う装置である。車両の車室内および車室外の各所に配置された照明灯によって様々な色で車両の車室内および車室外の照明を行うことが可能となっている。
【００２１】
音響装置２４は、車両の車室内の各所に配置されたスピーカを有し、制御部１５より入力される音声信号に応じた音をスピーカから発生させる。音響装置２４は、制御部１５より入力される音声信号に応じて優雅な楽曲、迫力のある楽曲、殺伐とした楽曲、静穏的な音響、響くような音響を発生させることが可能となっている。
【００２２】
刺激調整装置２５は、車両の乗員に各種刺激を与える装置である。刺激調整装置２５は、制御部１５より入力される信号に応じてステアリングホイールを振動させたり、制御部１５より入力される信号に応じて乗員が着座するシートの位置や角度を調整することで、乗員に刺激を与える。刺激調整装置２５は、制御部１５より入力される信号に応じて乗員が着座するシートを揺らすように制御したり、揺らぐように制御することも可能となっている。
【００２３】
本実施形態の制御部１５は、ネット上の各種情報蓄積装置から所定条件を満たす対象者を探索し、探索された対象者のアップロード情報をネット上の各種情報蓄積装置から収集し、収集したアップロード情報から想起される空間演出を実施させるための空間演出情報を生成する空間演出情報生成処理を実施する。
【００２４】
次に、図２を用いて、この空間演出情報生成処理について説明する。制御部１５は、周期的に図２に示す処理を実施する。
【００２５】
まず、制御部１５は、Ｓ１００にて、ネット上の各種情報蓄積装置から所定条件を満たす対象者を探索する。本実施形態では、最適空間を演出可能な対象者を探索する。具体的には、フォロワー数の多いトレンドセッター、空間創出のサービスに従事する人、同一の関連情報のネット上の各種情報蓄積装置へのアップロードを周期的に実施している人を最適空間を演出可能な対象者として探索する。ここで、最適空間を演出可能な対象者は、所謂センスのいい人である。
【００２６】
例えば、制御部１５は、検索サイトにアクセスして、「フォロワー数の多いトレンドセッター」、「空間創出のサービスに従事する人」というキーワードで検索した結果から対象者を探索することができる。また、例えば、制御部１５は、検索サイトにアクセスして、国内旅行、海外旅行等、同一の関連情報のネット上の各種情報蓄積装置へのアップロードを何度も実施している人を対象者として探索することができる。
【００２７】
次に、制御部１５は、Ｓ１００にてネット上の各種情報蓄積装置から探索部によって探索された対象者のアップロード情報を収集する（Ｓ１０２）。例えば、Ｓ１００にてネット上の各種情報蓄積装置から、フォロワー数の多いトレンドセッターであるＡ氏が探索された場合、トレンドセッターＡ氏のアップロード情報を収集する。
【００２８】
次に、制御部１５は、Ｓ１０４にて、アップロード情報から抽出ワードと映像を抽出する。例えば、アップロード情報に「バリ島」、「浜辺」の映像、「オレンジ色のジュース」の映像が含まれる場合、抽出ワードとして「バリ島」、「浜辺」の映像、「オレンジ色のジュース」の映像が抽出される。
【００２９】
次に、制御部１５は、Ｓ１０６にて、抽出ワードおよび映像により想起される空間演出を空間演出部２１〜２５に実施させるための空間演出情報を生成する。
【００３０】
例えば、「バリ島」といて抽出ワードに基づいて、空調装置２１に対する空間演出情報を生成する。記憶部１３には、地名毎に、その地名における気温および湿度を想起させる最適設定温度および最適湿度の少なくとも一方を示す情報が記憶されている。制御部１５は、例えば、「バリ島」といて抽出ワードに対し、記憶部１３に記憶された情報に基づいて、車室内の温度を３０℃、湿度を低下させるため「除湿」をオン設定とする空間演出情報を生成する。
【００３１】
また、例えば、「バリ島」といて抽出ワードに基づいて、照明装置２３に対する空間演出情報を生成する。具体的には、夕日を想起させるようオレンジ色で車両の車室内の照明を行うように空間演出情報を生成する。
【００３２】
例えば、「バリ島」といて抽出ワードに基づいて、音響装置２４に対する空間演出情報を生成する。具体的には、バリ島のガラムン音楽がスピーカから流れるよう空間演出情報を生成する。
【００３３】
また、「浜辺」の映像に基づいて、刺激調整装置２５に対する空間演出情報を生成する。具体的には、乗員が着座するシートの位置および角度が、乗員がビーチチェアに寝転がるような姿勢となるよう空間演出情報を生成する。
【００３４】
さらに、「オレンジ色のジュース」の映像に基づいて、香り発生装置２２に対する空間演出情報を生成する。具体的には、オレンジジュースの香り成分を放出させるように空間演出情報を生成する。
【００３５】
上記したように、ネット上の各種情報蓄積装置にアップロードされたアップロード情報毎に、該アップロード情報に含まれる抽出ワードおよび映像により想起される空間演出を空間演出部２１〜２５に実施させるための各空間演出情報が生成される。
【００３６】
次に、制御部１５は、Ｓ１０８にて、各空間演出情報を記憶部１３に記憶させ、本処理を終了する。
【００３７】
このように、「フォロワー数の多いトレンドセッター」、「空間創出のサービスに従事する人」、「同一の関連情報のネット上の各種情報蓄積装置へのアップロードを何度も実施している人」等の対象者によってアップロードされたアップロード情報に基づく各種空間演出情報が記憶部１３に記憶される。
【００３８】
本実施形態の制御部１５は、車両の乗員が発した音声により乗員の要望を推定し、推定した乗員の要望を満たす空間演出情報を特定し、この乗員の要望を満たす空間演出情報に基づいて空間演出を実施する空間演出処理を実施する。
【００３９】
次に、図３を用いて、この空間演出処理について説明する。制御部１５は、周期的に図３に示す処理を実施する。
【００４０】
まず、制御部１５は、Ｓ２００にて、乗員の要求を受け付ける。具体的には、操作部１１のマイクにより集音された乗員の音声に応じた信号から乗員の音声を認識し、この乗員の音声に基づいて乗員の要求を受け付ける。記憶部１３には、乗員の音声から乗員の要求を推定するための情報が記憶されている。例えば、乗員の「疲れた」という音声が認識された場合、制御部１５は、記憶部１３に記憶された情報に基づいて乗員が「リラックスしたがっている」と推定する。また、例えば、乗員の「眠い」という音声が認識された場合、制御部１５は、記憶部１３に記憶された情報に基づいて乗員が「眠りたがっている」と推定する。
【００４１】
次に、制御部１５は、Ｓ２０２にて、記憶部１３に記憶された各空間演出情報から乗員の要求を満たす情報を抽出する。例えば、Ｓ２００にて、乗員が「リラックスしたがっている」と推定された場合、抽出ワードとして「バリ島」、「浜辺」の映像、「オレンジ色のジュース」の映像が抽出された際に記憶部１３に記憶された空間演出情報を抽出する。
【００４２】
次に、制御部１５は、Ｓ２０４にて、Ｓ２０２にて抽出された空間演出情報に基づいて抽出ワードおよび映像により想起される空間演出を空間演出部２１〜２５に実施させる。
【００４３】
例えば、Ｓ２０２にて抽出された空間演出情報に基づいて、車室内の温度を３０℃、湿度を低下させるため「除湿」をオン設定とするよう空調装置２１を制御する。また、Ｓ２０２にて抽出された空間演出情報に基づいて、夕日を想起させるようオレンジ色で車両の車室内の照明を行うように照明装置２３を制御する。また、Ｓ２０２にて抽出された空間演出情報に基づいて、バリ島のガラムン音楽がスピーカから流れるよう音響装置２４を制御する。また、Ｓ２０２にて抽出された空間演出情報に基づいて、乗員が着座するシートの位置および角度が、乗員がビーチチェアに寝転がるような姿勢となるよう刺激調整装置２５を制御する。また、Ｓ２０２にて抽出された空間演出情報に基づいて、オレンジジュースの香り成分を放出させるよう香り発生装置２２を制御する。このように、制御部１５は、所定期間、空間演出を実施すると、本処理を終了する。
【００４４】
上記した空間演出情報生成処理および空間演出処理により、乗員も気付かないようなおもてなし空間演出を実現することができる。
【００４５】
以上、説明したように、本空間演出装置は、空間演出を実施する空間演出部（２１〜２５）と、ネット上の各種情報蓄積装置から所定条件を満たす対象者を探索する探索部（Ｓ１００）と、を備えている。また、ネット上の各種情報蓄積装置から探索部によって探索された対象者のアップロード情報を収集するアップロード情報収集部（Ｓ１０２）を備えている、また、アップロード情報収集部によって収集されたアップロード情報から所定の抽出ワードおよび映像の少なくとも一方を抽出する情報抽出部（Ｓ１０４）を備えている。さらに、情報抽出部により抽出された所定の抽出ワードおよび映像の少なくとも一方により想起される空間演出を空間演出部に実施させるための空間演出情報を生成する情報生成部（Ｓ１０６）を備えている。そして、空間演出部は、情報生成部により生成された空間演出情報に基づいて空間演出を行う。
【００４６】
このような構成によれば、ネット上の各種情報蓄積装置から所定条件を満たす対象者を探索し、探索された対象者のアップロード情報をネット上の各種情報蓄積装置から収集し、収集したアップロード情報から所定の抽出ワードおよび映像の少なくとも一方を抽出する。そして、抽出した所定の抽出ワードおよび映像の少なくとも一方により想起される空間演出を空間演出部に実施させるための空間演出情報を生成し、この生成した空間演出情報に基づいて空間演出を行うので、乗員自身も気づかないようなおもてなし空間演出を実現することができる。
【００４７】
なお、所定条件を満たす対象者は、トレンドセッター、空間創出のサービスに従事する人、同一の関連情報のネット上の各種情報蓄積装置へのアップロードを何度も実施している人の少なくとも１つを満たしている人とすることができる。
【００４８】
また、空間演出部は、車両の室内の温度および湿度を調整する空調装置（２１）を含んできる。そして、情報生成部は、車両の室内の温度および湿度が、情報抽出部により抽出された所定の抽出ワードおよび映像の少なくとも一方により想起される温度および湿度となるよう空間演出情報を生成する。
【００４９】
したがって、空間演出部は、情報生成部により生成された空間演出情報に基づいて、情報抽出部により抽出された所定の抽出ワードおよび映像の少なくとも一方により想起される温度および湿度の少なくとも一方となるよう空間演出を行うことが可能である。
【００５０】
また、空間演出部は、車両の室内の香りを調整する香り発生装置（２２）を含んでいる。そして、情報生成部は、車両の室内の香りが、情報抽出部により抽出された所定の抽出ワードおよび映像の少なくとも一方により想起される香りとなるよう空間演出情報を生成する。
【００５１】
したがって、空間演出部は、情報生成部により生成された空間演出情報に基づいて、情報抽出部により抽出された所定の抽出ワードおよび映像の少なくとも一方により想起される香りとなるよう空間演出を行うことが可能である。
【００５２】
また、空間演出部は、車両の室内の明るさおよび照明色を調整する照明装置（２３）を含んでいる。そして、情報生成部は、車両の室内の明るさおよび照明色が、情報抽出部により抽出された所定の抽出ワードおよび映像の少なくとも一方により想起される明るさおよび照明色となるよう空間演出情報を生成する。
【００５３】
したがって、空間演出部は、情報生成部により生成された空間演出情報に基づいて、情報抽出部により抽出された所定の抽出ワードおよび映像の少なくとも一方により想起される明るさおよび照明色となるよう空間演出を行うことが可能である。
【００５４】
また、空間演出部は、車両の室内の音響を発生させる音響装置（２４）を含んでいる。そして、情報生成部は、車両の室内の音響が、情報抽出部により抽出された所定の抽出ワードおよび映像の少なくとも一方により想起される音響となるよう空間演出情報を生成する。
【００５５】
したがって、空間演出部は、情報生成部により生成された空間演出情報に基づいて、情報抽出部により抽出された所定の抽出ワードおよび映像の少なくとも一方により想起される音響となるよう空間演出を行うことが可能である。
【００５６】
また、空間演出部は、空間演出部は、車両の室内の乗員への刺激を調整する刺激調整装置（２５）を含んでいる。そして、情報生成部は、車両の室内の乗員への刺激が、情報抽出部により抽出された所定の抽出ワードおよび映像の少なくとも一方により想起される乗員への刺激となるよう空間演出情報を生成する。
【００５７】
したがって、空間演出部は、情報生成部により生成された空間演出情報に基づいて、情報抽出部により抽出された所定の抽出ワードおよび映像の少なくとも一方により想起される乗員への刺激となるよう空間演出を行うことが可能である。
【００５８】
また、本空間演出装置は、車両の乗員が発した音声により乗員の要望を推定し、推定した乗員の要望を満たす空間演出情報を特定する情報特定部と、を備えている。そして、空間演出部は、情報特定部により特定された乗員の要望を満たす空間演出情報に基づいて空間演出を実施する。
【００５９】
このように、空間演出部は、車両の乗員が発した音声により推定された乗員の要望を満たす空間演出情報に基づいて空間演出を実施することができる。
【００６０】
（他の実施形態）
（１）上記実施形態では、ネット上の各種情報蓄積装置から情報の収集を行い、収取した情報に基づいて自動車の車室内の空間演出を実施する例を示した。これに対し、例えば、ネット上の各種情報蓄積装置から情報の収集を行い、収取した情報に基づいて建物の居室内の空間演出を実施することもできる。
【００６１】
（２）上記実施形態では、Ｓ２００にて、音声認識により認識された音声により乗員の要求を受け付けるようにしたが、図４に示すように、「リラックスしたい」、「集中したい」、「眠りたい」等のリストを表示部１４に表示させ、ユーザの操作部１１の操作により選択された項目を乗員の要求を受け付けるようにしてもよい。
【００６２】
（３）上記実施形態では、抽出ワードとして「バリ島」、「浜辺」の映像、「オレンジ色のジュース」の映像が抽出された際に空気、香り、光、音響、刺激を制御する例を示したが、図５に示すように、各種抽出ワードに対して空気、香り、光、音響、刺激を制御することもできる。
【００６３】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００６４】
（まとめ）
上記各実施形態の一部または全部で示された第１の観点によれば、空間演出装置は、間演出を実施する空間演出部と、ネット上の各種情報蓄積装置から所定条件を満たす対象者を探索する探索部と、を備えている。また、ネット上の各種情報蓄積装置から探索部によって探索された対象者のアップロード情報を収集するアップロード情報収集部を備えている。また、アップロード情報収集部によって収集されたアップロード情報から所定の抽出ワードおよび映像の少なくとも一方を抽出する情報抽出部を備えている。さらに、情報抽出部により抽出された所定の抽出ワードおよび映像の少なくとも一方により想起される空間演出を空間演出部に実施させるための空間演出情報を生成する情報生成部（Ｓ１０６）を備えている。そして、空間演出部は、情報生成部により生成された空間演出情報に基づいて空間演出を行う。
【００６５】
また、第２の観点によれば、所定条件を満たす対象者は、トレンドセッター、空間創出のサービスに従事する人、同一の関連情報のネット上の各種情報蓄積装置へのアップロードを何度も実施している人の少なくとも１つを満たしている人である。
【００６６】
このように、所定条件を満たす対象者は、トレンドセッター、空間創出のサービスに従事する人、同一の関連情報のネット上の各種情報蓄積装置へのアップロードを何度も実施している人の少なくとも１つを満たしている人とすることができる。
【００６７】
また、第３の観点によれば、空間演出部は、車両の室内の温度および湿度を調整する空調装置を含んできる。そして、情報生成部は、車両の室内の温度および湿度が、情報抽出部により抽出された所定の抽出ワードおよび映像の少なくとも一方により想起される温度および湿度となるよう空間演出情報を生成する。
【００６８】
したがって、空間演出部は、情報生成部により生成された空間演出情報に基づいて、情報抽出部により抽出された所定の抽出ワードおよび映像の少なくとも一方により想起される温度および湿度の少なくとも一方となるよう空間演出を行うことが可能である。
【００６９】
また、第４の観点によれば、空間演出部は、車両の室内の香りを調整する香り発生装置を含んでいる。そして、情報生成部は、車両の室内の香りが、情報抽出部により抽出された所定の抽出ワードおよび映像の少なくとも一方により想起される香りとなるよう空間演出情報を生成する。
【００７０】
したがって、空間演出部は、情報生成部により生成された空間演出情報に基づいて、情報抽出部により抽出された所定の抽出ワードおよび映像の少なくとも一方により想起される香りとなるよう空間演出を行うことが可能である。
【００７１】
また、第５の観点によれば、空間演出部は、車両の室内の明るさおよび照明色を調整する照明装置を含んでいる。そして、情報生成部は、車両の室内の明るさおよび照明色が、情報抽出部により抽出された所定の抽出ワードおよび映像の少なくとも一方により想起される明るさおよび照明色となるよう空間演出情報を生成する。
【００７２】
したがって、空間演出部は、情報生成部により生成された空間演出情報に基づいて、情報抽出部により抽出された所定の抽出ワードおよび映像の少なくとも一方により想起される明るさおよび照明色となるよう空間演出を行うことが可能である。
【００７３】
また、第６の観点によれば、空間演出部は、車両の室内の音響を発生させる音響装置を含んでいる。そして、情報生成部は、車両の室内の音響が、情報抽出部により抽出された所定の抽出ワードおよび映像の少なくとも一方により想起される音響となるよう空間演出情報を生成する。
【００７４】
したがって、空間演出部は、情報生成部により生成された空間演出情報に基づいて、情報抽出部により抽出された所定の抽出ワードおよび映像の少なくとも一方により想起される音響となるよう空間演出を行うことが可能である。
【００７５】
また、第７の観点によれば、空間演出部は、空間演出部は、車両の室内の乗員への刺激を調整する刺激調整装置を含んでいる。そして、情報生成部は、車両の室内の乗員への刺激が、情報抽出部により抽出された所定の抽出ワードおよび映像の少なくとも一方により想起される乗員への刺激となるよう空間演出情報を生成する。
【００７６】
したがって、空間演出部は、情報生成部により生成された空間演出情報に基づいて、情報抽出部により抽出された所定の抽出ワードおよび映像の少なくとも一方により想起される乗員への刺激となるよう空間演出を行うことが可能である。
【００７７】
また、第８の観点によれば、本空間演出装置は、車両の乗員が発した音声により乗員の要望を推定し、推定した乗員の要望を満たす空間演出情報を特定する情報特定部と、を備えている。そして、空間演出部は、情報特定部により特定された乗員の要望を満たす空間演出情報に基づいて空間演出を実施する。
【００７８】
このように、空間演出部は、車両の乗員が発した音声により推定された乗員の要望を満たす空間演出情報に基づいて空間演出を実施することができる。
【００７９】
なお、上記実施形態における構成と特許請求の範囲の構成との対応関係について説明すると、空調装置２１、香り発生装置２２、照明装置２３、音響装置２４および刺激調整装置２５が空間演出部に相当し、Ｓ１００の処理が探索部に相当する。また、Ｓ１０２の処理がアップロード情報収集部に相当し、Ｓ１０４に処理が情報抽出部に相当し、Ｓ１０６の処理が情報生成部に相当し、Ｓ２０２の処理が情報特定部に相当する。
【符号の説明】
【００８０】
１０  空間演出装置
１１  操作部
１２  通信部
１３  記憶部
１４  表示部
１５  制御部
２１  空調装置
２２  香り発生装置
２３  照明装置
２４  音響装置
２５  刺激調整装置
【図１】
2020042725.tif 000003
【図２】
2020042725.tif 000004
【図３】
2020042725.tif 000005
【図４】
2020042725.tif 000006
【図５】
2020042725.tif 000007